【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
第１及び第２の通信手段と、
前記第１及び第２の通信手段を制御するＣＰＵとを備える携帯可能情報記録媒体であって、
前記ＣＰＵは、前記第１の通信手段で第１のデータ処理部と通信を行い、その通信を行っている間に前記第１の通信手段から前記第２の通信手段に通信手段を切り替え、切り替えを行った第２の通信手段で第２のデータ処理部と通信を行うこと、
を特徴とする携帯可能情報記録媒体。
【請求項２】
請求項１に記載の携帯可能情報記録媒体において、
前記ＣＰＵは、前記第２の通信手段による前記第２のデータ処理部との通信完了後に前記第２の通信手段から前記第１の通信手段に通信手段を切り替え、切り替えを行った第１の通信手段で前記第１のデータ処理部に応答すること、
を特徴とする携帯可能情報記録媒体。
【請求項３】
第１及び第２の通信手段と、
前記第１及び第２の通信手段を制御するＣＰＵとを備える携帯可能情報記録媒体であって、
前記ＣＰＵは、前記第１の通信手段で第１の外部装置と通信を行い、その通信を行っている間に前記第１の通信手段から前記第２の通信手段に通信手段を切り替え、切り替えを行った第２の通信手段で第２の外部装置と通信を行うこと、
を特徴とする携帯可能情報記録媒体。
【請求項４】
請求項１から請求項３までのいずれか１項に記載の携帯可能情報記録媒体において、
前記第１の通信手段と前記第２の通信手段とは、同一の通信手段、異なる通信手段、同一の通信手段で異なる通信方式のうちのいずれかであること、
を特徴とする携帯可能情報記録媒体。
【請求項５】
請求項３又は請求項４に記載の携帯可能情報記録媒体において、
前記第１の通信手段は、非接触式の通信手段であり、
前記第２の通信手段は、接触式の通信手段であること、
を特徴とする携帯可能情報記録媒体。
【請求項６】
請求項３から請求項５までのいずれか１項に記載の携帯可能情報記録媒体において、
前記第１及び第２の通信手段で通信されるデータは、画像データ及び／又は動画データを含むデータであること、
を特徴とする携帯可能情報記録媒体。
【請求項７】
第１及び第２の通信手段と、
前記第１及び第２の通信手段を制御するＣＰＵとを備える携帯可能情報記録媒体のＣＰＵに実行させる携帯可能情報記録媒体プログラムであって、
前記第１の通信手段で第１のデータ処理部と通信を行う第１の通信手順と、
前記第１の通信手順で通信を行っている間に前記第１の通信手段から前記第２の通信手段に通信手段を切り替える第１の切替手順と、
前記第１の切替手順で切り替えを行った第２の通信手段で第２のデータ処理部と通信を行う第２の通信手順と、
を実行させるための携帯可能情報記録媒体プログラム。
【請求項８】
請求項７に記載の携帯可能情報記録媒体プログラムにおいて、
前記携帯可能情報記録媒体のＣＰＵに、
前記第２の通信手順の通信完了後に、前記第２の通信手段から前記第１の通信手段に通信手段を切り替える第２の切替手順と、
前記第２の切替手順で切り替えを行った第１の通信手段で前記第１のデータ処理部に応答する応答手順と、
を実行させるための携帯可能情報記録媒体プログラム。
【請求項９】
第１及び第２の通信手段と、
前記第１及び第２の通信手段を制御するＣＰＵとを備える携帯可能情報記録媒体のＣＰＵに実行させる携帯可能情報記録媒体プログラムであって、
前記第１の通信手段で第１の外部装置と通信を行う第１の通信手順と、
前記第１の通信手順で通信を行っている間に前記第１の通信手段から前記第２の通信手段に通信手段を切り替える第１の切替手順と、
前記第１の切替手順で切り替えを行った第２の通信手段で第２の外部装置と通信を行う第２の通信手順と、
を実行させるための携帯可能情報記録媒体プログラム。
【手続補正２】
【補正対象書類名】明細書
【補正対象項目名】０００６
【補正方法】変更
【補正の内容】
【０００６】
前記課題を解決するために、請求項１の発明は、第１及び第２の通信手段と、前記第１及び第２の通信手段を制御するＣＰＵとを備える携帯可能情報記録媒体であって、前記ＣＰＵは、前記第１の通信手段で第１のデータ処理部と通信を行い、その通信を行っている間に前記第１の通信手段から前記第２の通信手段に通信手段を切り替え、切り替えを行った第２の通信手段で第２のデータ処理部と通信を行うこと、を特徴とする携帯可能情報記録媒体である。
請求項２の発明は、請求項１に記載の携帯可能情報記録媒体において、前記ＣＰＵは、前記第２の通信手段による前記第２のデータ処理部との通信完了後に前記第２の通信手段から前記第１の通信手段に通信手段を切り替え、切り替えを行った第１の通信手段で前記第１のデータ処理部に応答すること、を特徴とする携帯可能情報記録媒体である。
請求項３の発明は、第１及び第２の通信手段と、前記第１及び第２の通信手段を制御するＣＰＵとを備える携帯可能情報記録媒体であって、前記ＣＰＵは、前記第１の通信手段で第１の外部装置と通信を行い、その通信を行っている間に前記第１の通信手段から前記第２の通信手段に通信手段を切り替え、切り替えを行った第２の通信手段で第２の外部装置と通信を行うこと、を特徴とする携帯可能情報記録媒体である。
請求項４の発明は、請求項１から請求項３までのいずれか１項に記載の携帯可能情報記録媒体において、前記第１の通信手段と前記第２の通信手段とは、同一の通信手段、異なる通信手段、同一の通信手段で異なる通信方式のうちのいずれかであること、を特徴とする携帯可能情報記録媒体である。
請求項５の発明は、請求項３又は請求項４に記載の携帯可能情報記録媒体において、前記第１の通信手段は、非接触式の通信手段であり、前記第２の通信手段は、接触式の通信手段であること、を特徴とする携帯可能情報記録媒体である。
請求項６の発明は、請求項３から請求項５までのいずれか１項に記載の携帯可能情報記録媒体において、前記第１及び第２の通信手段で通信されるデータは、画像データ及び／又は動画データを含むデータであること、を特徴とする携帯可能情報記録媒体である。
請求項７の発明は、第１及び第２の通信手段と、前記第１及び第２の通信手段を制御するＣＰＵとを備える携帯可能情報記録媒体のＣＰＵに実行させる携帯可能情報記録媒体プログラムであって、前記第１の通信手段で第１のデータ処理部と通信を行う第１の通信手順と、前記第１の通信手順で通信を行っている間に前記第１の通信手段から前記第２の通信手段に通信手段を切り替える第１の切替手順と、前記第１の切替手順で切り替えを行った第２の通信手段で第２のデータ処理部と通信を行う第２の通信手順と、を実行させるための携帯可能情報記録媒体プログラムである。
請求項８の発明は、請求項７に記載の携帯可能情報記録媒体プログラムにおいて、前記携帯可能情報記録媒体のＣＰＵに、前記第２の通信手順の通信完了後に、前記第２の通信手段から前記第１の通信手段に通信手段を切り替える第２の切替手順と、前記第２の切替手順で切り替えを行った第１の通信手段で前記第１のデータ処理部に応答する応答手順と、を実行させるための携帯可能情報記録媒体プログラムである。
請求項９の発明は、第１及び第２の通信手段と、前記第１及び第２の通信手段を制御するＣＰＵとを備える携帯可能情報記録媒体のＣＰＵに実行させる携帯可能情報記録媒体プログラムであって、前記第１の通信手段で第１の外部装置と通信を行う第１の通信手順と、前記第１の通信手順で通信を行っている間に前記第１の通信手段から前記第２の通信手段に通信手段を切り替える第１の切替手順と、前記第１の切替手順で切り替えを行った第２の通信手段で第２の外部装置と通信を行う第２の通信手順と、を実行させるための携帯可能情報記録媒体プログラムである。